(57)【要約】【課題】多様な厚みの情報処理装置に対応可能な転倒防止用の情報処理装置スタンドを提供する。【解決手段】情報処理装置を側面から支持する支持部材と、情報処理装置の転倒を防止するための突起部材と、一定間隔に設けられ、互いに係合可能な形状を有する凸部と凹部を備える連結部材と、を備える。また、情報処理装置を側面から支持する支持部材と、情報処理装置の転倒を防止するための突起部材と、第１の側面に一定間隔に設けられ、互いに係合可能な形状を有する凸部と凹部、並びに第１の側面と対向する第２の側面に、第１の側面における凸部及び凹部の間隔とは異なる一定間隔に設けられ、互いに係合可能な形状を有する凸部と凹部、を備える連結部材と、を備える。凸部及び凹部は交互に設けられていてもよい。【選択図】図１
2011175539.tif 000002
【特許請求の範囲】
【請求項１】
情報処理装置を側面から支持する支持部材と、
一定間隔に設けられ、互いに係合可能な形状を有する凸部と凹部とを第１の側面に備える連結部材と、
前記連結部材の一端に設けられ、前記支持部材より前記連結部材の反対側に突出する突起部材と、
を備える情報処理装置スタンド。
【請求項２】
前記連結部材は、
第１の側面と対向する第２の側面に、第１の側面における凸部及び凹部の間隔とは異なる一定間隔に設けられ、互いに係合可能な形状を有する凸部と凹部をさらに備えることを特徴とする請求項１記載の情報処理装置スタンド。
【請求項３】
前記連結部材は、
第１の側面に、一定間隔に設けられ、互いに係合可能な形状を有する凸部と凹部を交互に備えることを特徴とする請求項１記載の情報処理装置スタンド。
【請求項４】
前記突起部材は、
最も前記支持部材側の凹部と連結し、この凹部の深さと同じ深さ以上に切り欠いてある切り欠き部を有することを特徴とする請求項１記載の情報処理装置スタンド。
【発明の詳細な説明】
【技術分野】
【０００１】
本発明は、多様な厚みの情報処理装置に対応可能な転倒防止用の情報処理装置スタンドに関する。
【背景技術】
【０００２】
パソコンやＰＯＳ端末などの情報処理装置の筺体はモデルによって厚さが異なる。従って、モデルチェンジごとに転倒防止用のスタンドを設計し、金型から製造しなおさなければならず、製造コストがかかるという問題点がある。
【０００３】
この点に関し、情報処理装置を支持する挟持部を互いに回動可能に連結し、連結部に情報処理装置を載置することにより挟持部に情報処理装置を挟持させる技術が提案されている（例えば、特許文献１）。
【０００４】
しかし、この技術によっては支持できる情報処理装置の幅に限界がある。すなわち、幅が極端に厚い情報処理装置の場合には挟持部が上側に開くため座りが不安定になり、また幅が極端に薄い情報処理装置の場合は連結部が設置する台につかえて情報処理装置を挟持するほど挟持部の幅が狭くならないという問題点がある。
【先行技術文献】
【特許文献】
【０００５】
【特許文献１】特開平６−３５０２７６号公報
【発明の概要】
【発明が解決しようとする課題】
【０００６】
本発明は、多様な厚みの情報処理装置に対応可能な転倒防止用の情報処理装置スタンドを提供することを目的とする。
【課題を解決するための手段】
【０００７】
本発明は、情報処理装置を側面から支持する支持部材と、一定間隔に設けられ、互いに係合可能な形状を有する凸部と凹部とを第１の側面に備える連結部材と、連結部材の一端に設けられ、支持部材より連結部材の反対側に突出する突起部材と、を備える情報処理装置スタンドを提供する。
【発明の効果】
【０００８】
本発明によれば、一つの金型により、多様な厚みの情報処理装置に対応可能な転倒防止用の情報処理装置スタンドを提供することができるという効果がある。
【図面の簡単な説明】
【０００９】
【図１】第１の実施形態の情報処理装置スタンドを下方から見た斜視図である。
【図２】第１の実施形態の情報処理装置スタンドの幅の比較的狭い情報処理装置への使用例を示す図である。
【図３】第１の実施形態の情報処理装置スタンドの幅の比較的狭い情報処理装置への使用例を示す図である。
【図４】第１の実施形態の情報処理装置スタンドの幅の比較的狭い情報処理装置への使用例を示す図である。
【図５】第１の実施形態の情報処理装置スタンドの幅の比較的広い情報処理装置への使用例を示す図である。
【図６】第１の実施形態の情報処理装置スタンドの幅の比較的広い情報処理装置への使用例を示す図である。
【図７】第１の実施形態の情報処理装置スタンドの幅の比較的広い情報処理装置への使用例を示す図である。
【図８】弾性部材を備える第１の実施形態の情報処理装置スタンドの例を示す図である。
【図９】第１の実施形態の情報処理装置スタンドを二つ組み合わせたときの正面図である。
【図１０】弾性部材を有する第１の実施形態の情報処理装置スタンドの使用例を示す底面斜視図である。
【図１１】第２の実施形態の情報処理装置スタンドの斜視図である。
【図１２】第２の実施形態の情報処理装置スタンドの支持部材の間隔を狭めた場合を示す図である。
【図１３】第３の実施形態の情報処理装置スタンドの斜視図である。
【図１４】第３の実施形態の情報処理装置スタンドの支持部材の間隔を広げた場合を示す図である。
【図１５】第３の実施形態の情報処理装置スタンドの正面図である。
【図１６】第３の実施形態の情報処理装置スタンドの背面図である。
【図１７】第３の実施形態の情報処理装置スタンドの平面図である。
【図１８】第３の実施形態の情報処理装置スタンドの底面図である。
【図１９】第３の実施形態の情報処理装置スタンドの右側面図である。
【図２０】第３の実施形態の情報処理装置スタンドの左側面図である。
【図２１】第３の実施形態の応用例である情報処理装置スタンドを示す図である。
【図２２】第３の実施形態の応用例である情報処理装置スタンドを示す図である。
【発明を実施するための形態】
【００１０】
以下に、本発明の一実施形態に係る情報処理装置スタンドを、図面を参照して詳細に説明する。ここで、情報処理装置には、パソコン、ＰＯＳ端末が含まれるものとする。
【００１１】
（第１の実施形態）
図１は、本実施形態の情報処理装置スタンド１０を下方から見た斜視図である。図１（Ａ）は背面から見た斜視図であり、図１（Ｂ）は正面から見た斜視図である。図１に示すように、情報処理装置スタンド１０は、情報処理装置を側面から支持する支持部材１１と、情報処理装置の転倒を防止するための突起部材１２と、二つの情報処理装置スタンド１０を連結する連結部材１３と、を備える。
【００１２】
支持部材１１は、連結部材１３と突起部材１２との中間に位置し、上方に伸びる板形状をなす。
【００１３】
突起部材１２は、連結部材１３の一端に設置され、情報処理装置スタンド１０が設置される台の面と平行になる平面部を有する。突起部材１２は、連結部材１３の一端に設けられ、支持部材１１より連結部材１３の反対側に突出する。
【００１４】
連結部材１３は、一定間隔に設けられる複数の凸部１４と、一定間隔に設けられる複数の凹部１５と、を有する。凸部１４と凹部１５とは互いに係合可能な形状をなす。
【００１５】
図１に示す例においては、凸部１４が連結部材１３の突起部材１２側に二つ設けられ、凹部１５が連結部材１３の他端側に二つ設けられる。
【００１６】
凸部１４は、先端に根元より幅の広い部分である係合部を有する。係合部は、凸部１４と凹部１５とが係合するとき、横方向の力が加わったとき凸部１４が凹部１５から容易に抜けることを阻止する。
【００１７】
凸部１４と凹部１５とは、連結部材１３の一方の側面に設けられる。凸部１４と凹部１５とを互いに向き合わせ、上下方向に摺動させて凸部１４と凹部１５とを係合させる。
【００１８】
図２乃至図４は、幅の比較的狭い情報処理装置への使用例を示す図である。図２は正面図、図３は斜視図、図４は背面からの斜視図である。図２乃至図４に示すように、情報処理装置スタンド１０は、二つ一組として係合して使用され、通常１台の情報処理装置１に二組用いられる。
【００１９】
情報処理装置１は一対の支持部材１１の間に設置される。情報処理装置１は、情報処理装置スタンド１０の上に載置するように設置される。
【００２０】
図４に示すように、比較的幅の狭い情報処理装置１の場合には、係合する凸部１４と凹部１５の数を多くするように二つの情報処理装置スタンド１０を組み合わせる。図４の例においては４対の凸部１４と凹部１５が係合している。
【００２１】
図５乃至図７は、幅の比較的広い情報処理装置への使用例を示す図である。図５は正面図、図６は斜視図、図７は背面からの斜視図である。図５乃至図７に示すように、比較的幅の広い情報処理装置２の場合には、係合する凸部１４と凹部１５の数を少なくするように二つの情報処理装置スタンド１０を組み合わせる。図７の例においては２対の凸部１４と凹部１５が係合している。
【００２２】
図８は、弾性部材１６を備える情報処理装置スタンド１０の例を示す図である。図８に示すように、情報処理装置スタンド１０は支持部材１１の連結部材１３側の面、すなわち支持部材１１の情報処理装置３に対向する面に弾性部材１６を備えるように構成することができる。弾性部材１６は、ゴム、弾性力を有する樹脂、バネなどの弾性体を用いることができる。
【００２３】
図９は、情報処理装置スタンド１０を二つ組み合わせたときの正面図である。図９に示すように、二つの情報処理装置スタンド１０のうち、一方だけに弾性部材１６を設けることもできる。
【００２４】
図１０は、弾性部材１６を有する情報処理装置スタンド１０の使用例を示す底面斜視図である。図１０に示すように、情報処理装置スタンド１０を二つ組み合わせた場合に隙間が生じるとき、一組の情報処理装置スタンド１０のうちの一方又は両方に弾性部材１６が設けられる。
【００２５】
弾性部材１６の厚さは、一対の支持部材１１の間隔から情報処理装置３の幅を差し引いた厚みと等しいか、より厚い。
【００２６】
以上述べたように、本実施形態の情報処理装置スタンド１０は、情報処理装置を側面から支持する支持部材１１と、情報処理装置の転倒を防止するための突起部材１２と、一定間隔に設けられ、互いに係合可能な形状を有する凸部１４と凹部１５を備える連結部材１３と、を備える。
【００２７】
従って、一つの金型により多様な厚みの情報処理装置に適用可能な情報処理装置スタンド１０を、安価に提供できるという効果がある。
【００２８】
（第２の実施形態）
図１１は、本実施形態の情報処理装置スタンド２０の斜視図である。図１１に示すように、情報処理装置スタンド２０は、情報処理装置を側面から支持する支持部材２１と、情報処理装置の転倒を防止するための突起部材２２と、二つの情報処理装置スタンド２０を連結する連結部材２３と、を備える。
【００２９】
支持部材２１は、連結部材２３と突起部材２２との中間に位置し、上方に伸びる板形状をなす。
【００３０】
突起部材２２は、連結部材２３の一端に設置され、情報処理装置スタンド２０が設置される台の面と平行になる平面部を有する。突起部材２２は、連結部材２３の一端に設けられ、支持部材２１より連結部材２３の反対側に突出する。
【００３１】
連結部材２３は、第１の側面に一定間隔に設けられる複数の凸部２４と、一定間隔に設けられる複数の凹部２５と、を有する。凸部２４と凹部２５とは互いに係合可能な形状をなす。
【００３２】
連結部材２３はさらに、第１の側面と対向する第２の側面に、第１の側面の凸部２４及び凹部２５の間隔とは異なる一定の間隔に設けられる複数の凸部２６と、一定間隔に設けられる複数の凹部２７とを有する。凸部２６と凹部２７とは互いに係合可能な形状をなす。
【００３３】
図１１に示す例においては、凸部２４が連結部材２３の突起部材２２側に二つ設けられ、凹部２５が連結部材２３の他端側に二つ設けられ、凸部２６が連結部材２３の突起部材２２側に二つ設けられ、凹部２７が連結部材２３の他端側に四つ設けられる。
【００３４】
凸部２４及び凸部２６は、先端に根元より幅の広い部分である係合部を有する。係合部は、凸部２４と凹部２５と、及び凸部２６と凹部２７とが係合するとき、横方向の力が加わったとき凸部２４が凹部２５から、及び凸部２６が凹部２７から容易に抜けることを阻止する。
【００３５】
凸部２４と凹部２５とは、連結部材２３の第１の側面に設けられる。従って、第１の情報処理装置スタンド２０と第２の情報処理装置スタンド２０とを第１の側面同士が向き合うように配置すると、凸部２４と凹部２５とが互いに向き合う。凸部２４と凹部２５とを互いに向き合わせ、上下方向に摺動させて凸部２４と凹部２５とを係合させる。
【００３６】
凸部２４と凹部２５とを係合させても設置しようとする情報処理装置３の幅とうまく合わない場合は、凸部２６と凹部２７とを係合させる。
【００３７】
凸部２６と凹部２７とは、連結部材２３の第２の側面に設けられる。従って、第１の情報処理装置スタンド２０と第２の情報処理装置スタンド２０とを図１１に示すように第２の側面同士が向き合うように配置すると、凸部２６と凹部２７とが互いに向き合う。凸部２６と凹部２７とを互いに向き合わせ、上下方向に摺動させて凸部２６と凹部２７とを係合させる。
【００３８】
図１１に示すように、比較的幅の広い情報処理装置の場合には、一対の支持部材２１の間隔を広げて凸部２６と凹部２７を係合させ、二つの情報処理装置スタンド２０を組み合わせる。図１１の例においては、支持部材２１の間隔はＷ１である。
【００３９】
図１２は、支持部材２１の間隔を狭めた場合を示す図である。図１２に示すように、比較的幅の狭い情報処理装置の場合には、より支持部材２１側の凹部２７に凸部２６が係合するように、一対の支持部材２１の間隔を狭めて凸部２６と凹部２７を係合させ、二つの情報処理装置スタンド１０を組み合わせる。図１２の例においては支持部材２１の間隔はＷ１より狭いＷ２である。
【００４０】
以上述べたように、本実施形態の情報処理装置スタンド２０は、情報処理装置を側面から支持する支持部材２１と、情報処理装置の転倒を防止するための突起部材２２と、第１の側面に一定間隔に設けられ、互いに係合可能な形状を有する凸部２４と凹部２５、並びに第１の側面と対向する第２の側面に、第１の側面における凸部２４及び凹部２５の間隔とは異なる一定間隔に設けられ、互いに係合可能な形状を有する凸部２６と凹部２７、を備える連結部材２３と、を備える。
【００４１】
従って、一つの金型により、より多様な厚みの情報処理装置に適用可能な情報処理装置スタンド２０を、安価に提供できるという効果がある。
【００４２】
（第３の実施形態）
図１３は、本実施形態の情報処理装置スタンド３０の斜視図である。図１３に示すように、情報処理装置スタンド３０は、情報処理装置を側面から支持する支持部材３１と、情報処理装置の転倒を防止するための突起部材３２と、二つの情報処理装置スタンド３０を連結する連結部材３３と、を備える。
【００４３】
支持部材３１は、連結部材３３と突起部材３２との中間に位置し、上方に伸びる板形状をなす。
【００４４】
突起部材３２は、連結部材３３の一端に設置され、情報処理装置スタンド３０が設置される台の面と平行になる平面部を有する。突起部材３２は、連結部材３３の一端に設けられ、支持部材３１より連結部材３３の反対側に突出する。
【００４５】
連結部材３３は、一方の側面に一定間隔に設けられる複数の凸部３４と凹部３５とを交互に有する。凸部３４と凹部３５とは互いに係合可能な形状をなす。
【００４６】
図１３に示す例においては、凸部３４及び凹部３５が連結部材２３の一方の側面に交互に４つずつ設けられる。
【００４７】
凸部３４は、先端に根元より幅の広い部分である係合部を有する。係合部は、凸部３４と凹部３５とが係合するとき、横方向の力が加わったとき凸部３４が凹部３５から容易に抜けることを阻止する。
【００４８】
凸部３４と凹部３５とは、連結部材３３の一方の側面に設けられる。第１の情報処理装置スタンド３０と第２の情報処理装置スタンド３０とをこの側面同士が向き合うように配置し、上下方向に摺動させて凸部３４と凹部３５とを係合させる。
【００４９】
図１３に示すように、比較的幅の狭い情報処理装置の場合には、一対の支持部材３１の間隔を狭くして凸部３４と凹部３５を係合させ、二つの情報処理装置スタンド３０を組み合わせる。すなわち、係合する凸部３４と凹部３５の数を多くするように二つの情報処理装置スタンド３０を組み合わせる。図１３の例においては８対の凸部３４と凹部３５が係合している。図１３の例においては、支持部材３１の間隔はＷ３である。
【００５０】
図１４は、支持部材３１の間隔を広げた場合を示す図である。図１４に示すように、比較的幅の広い情報処理装置の場合には、係合する凸部３４と凹部３５の数を少なくするように二つの情報処理装置スタンド３０を組み合わせる。図１４の例においては６対の凸部３４と凹部３５が係合している。図１４の例においては、支持部材３１の間隔はＷ３より広いＷ４である。
【００５１】
図１５は情報処理装置スタンド３０の正面図である。図１６は情報処理装置スタンド３０の背面図である。図１７は情報処理装置スタンド３０の平面図である。図１８は情報処理装置スタンド３０の底面図である。図１９は情報処理装置スタンド３０の右側面図である。図２０は情報処理装置スタンド３０の左側面図である。
【００５２】
この情報処理装置スタンド３０は、パソコンやＰＯＳ端末などの情報処理装置の転倒を防止する装置である。この物品は二つで一対をなし、凸部３４と凹部３５とを係合させて組み合わせ、一組となす。係合させた二組を並べ、これらの支持部材３１の間に情報処理装置を嵌め込むようにして使用する。
【００５３】
図２１及び図２２は、本実施形態の応用例である情報処理装置スタンド４０を示す図である。図２１に示すように、情報処理装置スタンド４０は突起部材３２に、最も支持部材３１側の凹部３５、すなわち最も支持部材３１に近い凹部３５と連結する切り欠き部３６を有する。切り欠き部３６は凹部３５の深さと同じ深さ以上に切り欠いてある。
【００５４】
図２１に示すように、比較的幅の広い情報処理装置の場合には、一対の支持部材３１の間隔を広くして凸部３４と凹部３５を係合させ、二つの情報処理装置スタンド４０を組み合わせる。図２１の例においては、支持部材３１の間隔はＷ５である。
【００５５】
図２２に示すように、幅の狭い情報処理装置の場合には、一対の支持部材３１の間隔を狭くして凸部３４と凹部３５を係合させ、二つの情報処理装置スタンド４０を組み合わせる。図２２の例においては、支持部材３１の間隔はＷ５より狭いＷ６である。
【００５６】
ここで、突起部材３２は切り欠き部３６を有するため、連結部材３３が突起部材３２から突き出ても凸部３４と凹部３５との係合が可能となり、より狭い幅の情報処理装置にも対応可能である。
【００５７】
以上述べたように、本実施形態の情報処理装置スタンド３０，４０は、情報処理装置を側面から支持する支持部材３１と、情報処理装置の転倒を防止するための突起部材３２と、一定間隔に設けられ、互いに係合可能な形状を有する凸部３４と凹部３５を交互に備える連結部材３３と、を備える。
【００５８】
従って、一つの金型にさらに多様な厚みの情報処理装置に適用可能な情報処理装置スタンド３０，４０を、安価に提供できるという効果がある。
【符号の説明】
【００５９】
１０，２０，３０，４０：情報処理装置スタンド、
１１，２１，３１：支持部材、
１２，２２，３２：突起部材、
１３，２３，３３：連結部材。
【図１】
2011175539.tif 000003
【図２】
2011175539.tif 000004
【図３】
2011175539.tif 000005
【図４】
2011175539.tif 000006
【図５】
2011175539.tif 000007
【図６】
2011175539.tif 000008
【図７】
2011175539.tif 000009
【図８】
2011175539.tif 000010
【図９】
2011175539.tif 000011
【図１０】
2011175539.tif 000012
【図１１】
2011175539.tif 000013
【図１２】
2011175539.tif 000014
【図１３】
2011175539.tif 000015
【図１４】
2011175539.tif 000016
【図１５】
2011175539.tif 000017
【図１６】
2011175539.tif 000018
【図１７】
2011175539.tif 000019
【図１８】
2011175539.tif 000020
【図１９】
2011175539.tif 000021
【図２０】
2011175539.tif 000022
【図２１】
2011175539.tif 000023
【図２２】
2011175539.tif 000024